【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
トナーカートリッジを着脱可能で、且つ装着されたトナーカートリッジに付与された識別情報を読み取り可能な画像形成装置であって、
トナーカートリッジが装着されていることに基づいて前記トナーカートリッジに付与された識別情報の読取処理を試み、前記識別情報が読み取られたことに従って、読み取られた前記識別情報に紐付けて前記トナーカートリッジの利用情報を記憶領域に記憶し、前記トナーカートリッジから識別情報が読み取られなかったことに従って所定の識別情報に紐付けて前記トナーカートリッジの利用情報を記憶領域に記憶する手段と、
前記識別情報が読み取られなかったトナーカートリッジが継続して装着されている状態において、更なる読取処理により、前記装着されているトナーカートリッジに付与された識別情報が読み取られたことに従って、前記所定の識別情報に紐づけられていた利用情報を、前記更なる読取処理により読み取られた識別情報に紐付けて記憶領域に記憶する手段と、
を有することを特徴とする画像形成装置。
【請求項２】
前記利用情報は、前記トナーカートリッジを利用した日時、前記トナーカートリッジを用いて印刷したページの累積枚数、及びトナーの残量を含むことを特徴とする請求項１に記載の画像形成装置。
【請求項３】
前記識別情報は、前記トナーカートリッジのシリアル番号を含むことを特徴とする請求項１又は２に記載の画像形成装置。
【請求項４】
前記所定の識別情報は、前記トナーカートリッジに設定されないシリアル番号を含むことを特徴とする請求項３に記載の画像形成装置。
【請求項５】
前記読取処理は、前記トナーカートリッジが有するメモリに記憶されている前記識別情報及び前記利用情報を含む情報を読み取る処理であることを特徴とする請求項１乃至４のいずれか１項に記載の画像形成装置。
【請求項６】
前記トナーカートリッジは、トナー、感光ドラム、現像器を含むことを特徴とする請求項５に記載の画像形成装置。
【請求項７】
前記メモリは、前記識別情報に加えて、前記トナーカートリッジの累積印刷枚数であるページカウント、前記トナーカートリッジの寿命、トナーの残量、前記感光ドラム及び前記現像器の寿命を示す情報の少なくともいずれかを含むことを特徴とする請求項６に記載の画像形成装置。
【請求項８】
装着された前記トナーカートリッジから前記識別情報を読み取るまでの時間を設定し、当該時間内に前記識別情報を読み取ることができないタイムアウトが発生すると、前記トナーカートリッジから識別情報が読み取られなかったとすることを特徴とする請求項１乃至７のいずれか１項に記載の画像形成装置。
【請求項９】
前記利用情報を出力する出力手段を更に有することを特徴とする請求項１乃至８のいずれか１項に記載の画像形成装置。
【請求項１０】
前記更なる読取処理は、前記トナーカートリッジのトナーが消費されたことに基づいて実行されることを特徴とする請求項１乃至９のいずれか１項に記載の画像形成装置。
【請求項１１】
トナーカートリッジを着脱可能で、且つ装着されたトナーカートリッジに付与された識別情報を読み取り可能な画像形成装置を制御する制御方法であって、
トナーカートリッジが装着されていることに基づいて前記トナーカートリッジに付与された識別情報の読取処理を試み、前記識別情報が読み取られたことに従って、読み取られた前記識別情報に紐付けて前記トナーカートリッジの利用情報を記憶領域に記憶し、前記トナーカートリッジから識別情報が読み取られなかったことに従って所定の識別情報に紐付けて前記トナーカートリッジの利用情報を記憶領域に記憶する工程と、
前記識別情報が読み取られなかったトナーカートリッジが継続して装着されている状態において、更なる読取処理により、前記装着されているトナーカートリッジに付与された識別情報が読み取られたことに従って、前記所定の識別情報に紐づけられていた利用情報を、前記更なる読取処理により読み取られた識別情報に紐付けて記憶領域に記憶する工程と、
を有することを特徴とする制御方法。
【請求項１２】
コンピュータに、トナーカートリッジを着脱可能で、且つ装着されたトナーカートリッジに付与された識別情報を読み取り可能な画像形成装置を制御する制御方法を実行させるためのプログラムであって、前記制御方法は、
トナーカートリッジが装着されていることに基づいて前記トナーカートリッジに付与された識別情報の読取処理を試み、前記識別情報が読み取られたことに従って、読み取られた前記識別情報に紐付けて前記トナーカートリッジの利用情報を記憶領域に記憶し、前記トナーカートリッジから識別情報が読み取られなかったことに従って所定の識別情報に紐付けて前記トナーカートリッジの利用情報を記憶領域に記憶する工程と、
前記識別情報が読み取られなかったトナーカートリッジが継続して装着されている状態において、更なる読取処理により、前記装着されているトナーカートリッジに付与された識別情報が読み取られたことに従って、前記所定の識別情報に紐づけられていた利用情報を、前記更なる読取処理により読み取られた識別情報に紐付けて記憶領域に記憶する工程と、
を有することを特徴とするプログラム。
【請求項１３】
着脱部材を着脱可能で、且つ装着された着脱部材に付与された識別情報を読み取り可能な画像形成装置であって、
着脱部材が装着されていることに基づいて、前記着脱部材に付与された識別情報の読取処理を試み、前記識別情報が読み取られたことに従って、読み取られた前記識別情報に紐付けて前記着脱部材の利用情報を記憶領域に記憶し、前記着脱部材から識別情報が読み取られなかったことに従って、所定の識別情報に紐付けて前記着脱部材の利用情報を記憶領域に記憶する手段と、
前記識別情報が読み取られなかった着脱部材が継続して装着されている状態において、更なる読取処理により前記着脱部材に付与された識別情報が読み取られたことに従って、前記所定の識別情報に紐づけられていた利用情報を前記読み取られた識別情報に紐付けて記憶領域に記憶する手段と、
を有することを特徴とする画像形成装置。
【請求項１４】
着脱部材を着脱可能で、且つ装着された着脱部材に付与された識別情報を読み取り可能な画像形成装置を制御する制御方法であって、
着脱部材が装着されていることに基づいて、前記着脱部材に付与された識別情報の読取処理を試み、前記識別情報が読み取られたことに従って、読み取られた前記識別情報に紐付けて前記着脱部材の利用情報を記憶領域に記憶し、前記着脱部材から識別情報が読み取られなかったことに従って、所定の識別情報に紐付けて前記着脱部材の利用情報を記憶領域に記憶する工程と、
前記識別情報が読み取られなかった着脱部材が継続して装着されている状態において、更なる読取処理により前記着脱部材に付与された識別情報が読み取られたことに従って、前記所定の識別情報に紐づけられていた利用情報を前記読み取られた識別情報に紐付けて記憶領域に記憶する工程と、
を有することを特徴とする制御方法。
【請求項１５】
コンピュータに、着脱部材を着脱可能で、且つ装着された着脱部材に付与された識別情報を読み取り可能な画像形成装置を制御する制御方法を実行させるためのプログラムであって、前記制御方法は、
着脱部材が装着されていることに基づいて、前記着脱部材に付与された識別情報の読取処理を試み、前記識別情報が読み取られたことに従って、読み取られた前記識別情報に紐付けて前記着脱部材の利用情報を記憶領域に記憶し、前記着脱部材から識別情報が読み取られなかったことに従って、所定の識別情報に紐付けて前記着脱部材の利用情報を記憶領域に記憶する工程と、
前記識別情報が読み取られなかった着脱部材が継続して装着されている状態において、更なる読取処理により前記着脱部材に付与された識別情報が読み取られたことに従って、前記所定の識別情報に紐づけられていた利用情報を前記読み取られた識別情報に紐付けて記憶領域に記憶する工程と、
を有することを特徴とするプログラム。
【手続補正２】
【補正対象書類名】明細書
【補正対象項目名】０００８
【補正方法】変更
【補正の内容】
【０００８】
上記目的を達成するために本発明の一態様に係る画像形成装置は以下のような構成を備える。即ち、
トナーカートリッジを着脱可能で、且つ装着されたトナーカートリッジに付与された識別情報を読み取り可能な画像形成装置であって、
トナーカートリッジが装着されていることに基づいて前記トナーカートリッジに付与された識別情報の読取処理を試み、前記識別情報が読み取られたことに従って、読み取られた前記識別情報に紐付けて前記トナーカートリッジの利用情報を記憶領域に記憶し、前記トナーカートリッジから識別情報が読み取られなかったことに従って所定の識別情報に紐付けて前記トナーカートリッジの利用情報を記憶領域に記憶する手段と、
前記識別情報が読み取られなかったトナーカートリッジが継続して装着されている状態において、更なる読取処理により、前記装着されているトナーカートリッジに付与された識別情報が読み取られたことに従って、前記所定の識別情報に紐づけられていた利用情報を、前記更なる読取処理により読み取られた識別情報に紐付けて記憶領域に記憶する手段と、を有することを特徴とする。